(57)【特許請求の範囲】
【請求項１】
クライアント端末、検査処理業務管理サーバおよび検査処理ホストの各々をネットワークで接続して構成された検査業務実行システムにおいて、
前記検査処理業務管理サーバは、前記ネットワークを介して送信されたクライアントに関わるユーザ情報、検査業務内容を特定するための検査業務依頼情報および検査対象となる画像データ情報を受信する通信手段と、
前記クライアントに関わるユーザ情報、検査業務依頼内容に対応した検査手法、これに関わる前処理手法の情報および当該前処理プログラムを記憶しているデータベースと、このデータベースに記憶されているユーザ情報と前記通信手段で受信したユーザ情報とを照合して認証する手段と、
この認証手段が前記クライアントを認証した場合、前記通信手段が受信した検査業務依頼情報に基づいて、検査対象となる原画像データを処理するための前処理プログラムを前記データベースから抽出して前記クライアントへ送信する手段と、
前記クライアントから前処理済みの検査対象を受信した場合、前記通信手段が受信した検査業務依頼情報に基づいて、特定される検査業務内容に関わる検査処理ジョブを発行して前記検査処理ホストへ送信する手段と、
前記検査処理ホストから検査処理結果報告書を受信した場合、受信した検査処理結果報告書を前記クライアントへ送付する手段と、
前記クライアントから依頼された検査業務の検査処理内容について対価を演算して検査業務実行費用を算出する手段と、を備えることを特徴とする検査業務実行システム。
【請求項２】
前記クライアント端末は、クライアントを認証するためのユーザ情報および検査業務内容を特定するための検査業務依頼情報を入力するための入力部と、この入力部で入力されたユーザ情報および検査業務依頼情報を外部機器へ送信する送信部と、前記外部機器から検査対象画像前処理プログラムを受信する受信部と、この受信された検査対象画像前処理プログラムを実行する前処理実行部とを備え、前記送信部は、前記検査対象画像前処理プログラムにより処理された検査対象画像データ情報を前記外部機器に送信する一方、前記受信部は、前記送信された検査対象画像データ情報に対して処理した検査結果を受信するように構成されることを特徴とする請求項１記載の検査業務実行システム。
【発明の詳細な説明】
【０００１】
【発明の属する技術分野】
本発明は、原子力発電プラント、火力発電プラント、化学プラントにおける各種機器の構成部品など、定期的あるいは非定期的な欠陥検査の必要な機器を対象として、ネットワークを介して検査業務を実行するための検査業務実行方法、検査処理業務管理サーバおよび方法、クライアント端末およびその処理方法、検査業務処理ホストおよび方法に関する。
【０００２】
【従来の技術】
各種機器の欠陥検査などの検査業務については、少数の専門家が検査対象の設置現場に出向くか、あるいは検査対象物を特定の作業場所に移動してデータを採取し、分析装置によりその場で、あるいはデータのみを持ち帰り分析作業を行っていた。
【０００３】
また、目視検査などの検査対象となる機器部品の原画像データそのものを検査者に提示する必要があった。
【０００４】
【発明が解決しようとする課題】
上記のような従来の技術においては、以下のような課題がある。すなわち、少数の専門家が検査対象の設置現場に出向くか、あるいは検査対象物を特定の作業場所に移動してデータを採取し、分析装置によりその場で、あるいはデータのみを持ち帰り分析作業を行わなければならないため、時間的、距離的な制約が大きく、効率的な検査サービスを提供することができなかった。また、依頼者が検査対象となる機器部品の原画像データそのものを検査者に提示したくない場合にも提示する必要があった。
【０００５】
本発明は、上記事情に鑑みてなされたものであり、データ採取作業とデータ分析作業を分離し、少数の高度なノウハウを持った分析の専門家および分析装置を時間的にも距離的にも有効に活用できるようにした検査業務実行方法、検査処理業務管理サーバおよび方法、クライアント端末およびその処理方法、検査業務処理ホストおよび方法を提供することを目的とする。
【０００６】
また、本発明の他の目的とするところは、必要最小限の検査対象データのみを提示することにより、様々な検査対象に対して適切な検査技術が適用可能な検査業務実行方法、検査処理業務管理サーバおよび方法、クライアント端末およびその処理方法、検査業務処理ホストおよび方法を提供することにある。
【０００７】
【課題を解決するための手段】
本発明に係る検査業務実行システムは、上述した課題を解決するため、クライアント端末、検査処理業務管理サーバおよび検査処理ホストの各々をネットワークで接続して構成された検査業務実行システムにおいて、前記検査処理業務管理サーバは、前記ネットワークを介して送信されたクライアントに関わるユーザ情報、検査業務内容を特定するための検査業務依頼情報および検査対象となる画像データ情報を受信する通信手段と、前記クライアントに関わるユーザ情報、検査業務依頼内容に対応した検査手法、これに関わる前処理手法の情報および当該前処理プログラムを記憶しているデータベースと、このデータベースに記憶されているユーザ情報と前記通信手段で受信したユーザ情報とを照合して認証する手段と、この認証手段が前記クライアントを認証した場合、前記通信手段が受信した検査業務依頼情報に基づいて、検査対象となる原画像データを処理するための前処理プログラムを前記データベースから抽出して前記クライアントへ送信する手段と、前記クライアントから前処理済みの検査対象を受信した場合、前記通信手段が受信した検査業務依頼情報に基づいて、特定される検査業務内容に関わる検査処理ジョブを発行して前記検査処理ホストへ送信する手段と、前記検査処理ホストから検査処理結果報告書を受信した場合、受信した検査処理結果報告書を前記クライアントへ送付する手段と、前記クライアントから依頼された検査業務の検査処理内容について対価を演算して検査業務実行費用を算出する手段と、を備えることを特徴とする。
【００１０】
また、上述した課題を解決するため、本発明に係る検査業務実行システムは、前記クライアント端末が、クライアントを認証するためのユーザ情報および検査業務内容を特定するための検査業務依頼情報を入力するための入力部と、この入力部で入力されたユーザ情報および検査業務依頼情報を外部機器へ送信する送信部と、前記外部機器から検査対象画像前処理プログラムを受信する受信部と、この受信された検査対象画像前処理プログラムを実行する前処理実行部とを備え、前記送信部は、前記検査対象画像前処理プログラムにより処理された検査対象画像データ情報を前記外部機器に送信する一方、前記受信部は、前記送信された検査対象画像データ情報に対して処理した検査結果を受信するように構成されることを特徴とする。
【００１７】
【発明の実施の形態】
以下、図面を参照して本発明の具体的な実施形態を説明する。
【００１８】
図１は本発明に係る検査業務実行方法の一実施形態の全体構成を示すブロック図である。
【００１９】
図１において、クライアントの端末装置（以下、クライアント端末という）１０、管理サーバコンピュータ（以下、検査処理業務管理サーバという）２０および検査処理ホスト側コンピュータ（以下、検査業務処理ホストという）３０は、互いにインターネットや通信回線などのコンピュータネットワーク（以下、単にネットワークという）１を介して接続されている。なお、実際には、複数のクライアント端末１０および検査業務処理ホスト３０がネットワーク１によって検査処理業務管理サーバ２０と接続されている。
【００２０】
図２は図１のクライアント端末１０の構成を示すブロック図である。
【００２１】
図２に示すように、クライアント端末１０は、初期のユーザ登録情報、検査処理業務管理サーバ２０に認証させるためのユーザＩＤおよびパスワードなどの個別のユーザ情報、検査業務内容を特定するための検査業務依頼情報、欠陥検査の必要な検査対象機器の検査対象画像データ情報、および検査実施要求を入力するための入力部１１と、この入力部１１から入力された個別のユーザ情報や検査業務依頼情報などを検査処理業務管理サーバ２０に送信するための送信部１２と、検査処理業務管理サーバ２０から送信される前処理プログラムおよび検査結果を受信するための受信部１３と、この受信部１３で受信した情報を出力するための出力部１４と、検査処理業務管理サーバ２０から受信した前処理プログラムにより検査対象となる原画像データを処理する前処理実行部１５とから構成されている。
【００２２】
すなわち、クライアント端末１０は、クライアント（検査業務依頼者）を認証するためのユーザ情報、検査業務内容を特定するための検査業務依頼情報、検査実施要求を入力するための入力部１１と、この入力部１１から入力されたユーザ情報、検査業務依頼情報、検査実施要求を外部機器である検査処理業務管理サーバ２０へ送信する送信部１２と、この送信部１２によって送信された検査業務依頼情報に対応する検査処理業務管理サーバ２０のデータベースに記憶されている検査手法および前処理手法に基づいて検査業務実施が可能と判断された場合に検査処理業務管理サーバ２０から検査対象画像前処理プログラムを受信する受信部１３と、この受信された検査対象画像前処理プログラムを実行する手段としての前処理実行部１５とを備えている。
【００２３】
ここで、検査業務を依頼する対象機器としては、例えば腐食した配管や弁などの機器が適用され、これらの機器の腐食状態を画像化して検査対象画像とする。
【００２４】
そして、送信部１２は、この検査対象画像前処理プログラムにより処理された検査対象画像データ情報を外部機器としての検査処理業務管理サーバ２０に送信する一方、受信部１３は検査業務処理ホスト３０から検査処理業務管理サーバ２０を介して上記のようにして送信された検査対象画像データ情報に対して処理した検査結果を受信する。
【００２５】
したがって、本実施形態におけるクライアント端末１０の処理方法は、クライアントを認証するためのユーザ情報、検査業務内容を特定するための検査業務依頼情報、検査実施要求を入力するステップと、この入力されたユーザ情報、検査業務依頼情報、検査実施要求を外部機器としての検査処理業務管理サーバ２０へ送信するステップと、この送信された検査業務依頼情報に対応する検査処理業務管理サーバ２０のデータベースに記憶されている検査手法および前処理手法に基づいて検査業務実施が可能と判断された場合に検査処理業務管理サーバ２０から検査対象画像前処理プログラムを受信するステップと、この受信した検査対象画像前処理プログラムを実行するステップと、前処理を実行した検査対象画像データ情報を検査処理業務管理サーバ２０に送信するステップと、検査業務処理ホスト３０から検査処理業務管理サーバ２０を介して上記送信された検査対象画像データ情報に対して処理した検査結果を受信するステップとを有している。
【００２６】
図３は図１の検査処理業務管理サーバ２０の構成を示すブロック図である。
【００２７】
図３に示すように、検査処理業務管理サーバ２０は通信手段としての接続部２１を有し、この接続部２１は、ネットワーク１を介して送信されたクライアント端末１０からのクライアントに関わるユーザ情報、検査業務依頼情報および検査対象となる画像データ情報を受信する一方、前処理プログラムをクライアント端末１０に送信して前処理済みの検査対象データを受信した後、その検査対象データを検査業務処理ホスト３０に送信し、この検査業務処理ホスト３０から検査処理結果を受信し、依頼元であるクライアント端末１０に送信する。
【００２８】
認証手段としての認証処理部２３は、接続部２１で受信したユーザＩＤおよびパスワードなどのユーザ情報を予め認証データベース２６に記憶されているユーザ情報と比較照合することにより認証を行う。
【００２９】
検査依頼内容処理部２４は、接続部２１が受信した検査業務依頼情報に応じて適切な前処理プログラムを検査処理手法データベース２７から抽出してクライアント端末１０に送信する一方、このクライアント端末１０から前処理済みの検査対象データを受信し、適切な検査処理タスクを選択して検査処理ジョブを発行し、検査業務処理ホスト３０に検査処理ジョブを実行するように促す。
【００３０】
課金処理部２５は、制御部２２を介して、検査依頼内容処理部２４が検査業務処理ホスト３０に発行した検査処理ジョブ内容の情報および通信回数（接続度数）の情報に基づいて所定の演算を実行することで課金を行い、課金情報データベース２８を更新する。
【００３１】
すなわち、検査処理業務管理サーバ２０は、ネットワークを介して送信されたクライアント（検査業務依頼者）に関わるユーザ情報、検査業務依頼情報および検査対象となる画像データ情報を受信するための接続部２１と、クライアントに関わるユーザ情報を記憶している認証データベース２６と、検査業務依頼情報に対応した検査手法およびそれに関わる前処理手法の情報を記憶している検査処理手法データベース２７と、認証データベース２６に記憶されているユーザ情報と接続部２１で受信したユーザ情報とを照合して認証するための認証処理部２３と、この認証処理部２３によって認証された場合、検査業務依頼に応じた検査手法および前処理手法の情報に基づいて適当な検査処理タスクを選択し検査処理ジョブを発行するための検査依頼内容処理部２４と、検査業務処理ホスト３０によって検査処理が実行された場合、この実行した検査処理内容および通信回数の情報に基づいて所定の演算を実行し検査業務実行費用を算出する課金処理部２５とを有している。
【００３２】
そして、検査依頼内容処理部２４は、発行した検査処理ジョブを実行するように検査業務処理ホスト３０に促し、この検査業務処理ホスト３０によって検査処理が実行された場合、接続部２１は検査処理結果報告書を検査業務処理ホスト３０から受信し、依頼元であるクライアント端末１０へ送付する。
【００３３】
したがって、本実施形態における検査処理業務管理方法は、クライアントに関わるユーザ情報、検査業務依頼情報および検査対象となる画像データ情報を受信するステップと、クライアントに関わるユーザ情報、検査業務依頼情報に対応した検査手法およびそれに関わる前処理手法の情報を抽出するステップと、ユーザ情報と接続部２１で受信したユーザ情報とを照合して認証するステップと、検査業務依頼に応じた検査手法および前処理手法の情報に基づいて適当な検査処理タスクを選択し検査処理ジョブを発行するステップと、この発行された検査処理ジョブを実行するように検査業務処理ホスト３０に促すステップと、この検査業務処理ホスト３０によって検査処理が実行された場合に、検査処理結果報告書を検査業務処理ホスト３０から受信するステップと、この検査処理結果報告書を依頼元へ送付するステップと、実行した検査処理内容および通信回数の情報に基づいて所定の演算を実行し検査業務実行費用を算出するステップとを有している。
【００３４】
図４は図１の検査業務処理ホスト３０の構成を示すブロック図である。
【００３５】
図４に示すように、検査業務処理ホスト３０は、ネットワーク１を介して検査処理業務管理サーバ２０から検査ジョブ依頼を受信する接続部３１と、画像処理アルゴリズム記憶データベース３３に基づいて画像処理を実行する画像処理アルゴリズム実行部３２と、検査処理業務管理サーバ２０を介してクライアント端末１０に送信する検査結果情報を生成するための検査結果生成部３４とから構成されている。
【００３６】
すなわち、検査業務処理ホスト３０は、検査対象画像データ情報を処理する画像処理アルゴリズムを記憶してなる画像処理アルゴリズム記憶データベース３３と、検査処理業務管理サーバ２０を介して検査実施要求と前処理済み検査対象画像データを受け付けるための接続部２１と、この接続部２１で受け付けた前処理済み検査対象画像データを画像処理アルゴリズム記憶データベース３３により記憶されたアルゴリズムにより所定の画像処理演算を実行することにより、対象データに対する検査結果を生成する検査結果生成部３４とを備え、接続部３１は検査処理業務管理サーバ２０を介してこの検査結果を送信する。
【００３７】
したがって、本実施形態の検査業務処理方法は、検査処理業務管理サーバ２０を介して検査実施要求を受信するステップと、前処理済み検査対象画像データを受け付けるステップと、この受け付けた前処理済み検査対象画像データを画像処理アルゴリズムにより所定の画像処理演算を実行することにより、対象データに対する検査結果を生成するステップと、検査処理業務管理サーバ２０を介してこの検査結果を送信するステップとを有している。
【００３８】
次に、図５を用いて本実施形態の検査業務実行方法全体の流れをクライアント端末１０、検査処理業務管理サーバ２０、検査業務処理ホスト３０の処理手順に区分して説明する。
【００３９】
まず、クライアントはクライアント端末１０から検査処理業務管理サーバ２０に対してユーザ識別情報を登録して新規ユーザ登録を行う。これに対して、検査処理業務管理サーバ２０は、ユーザＩＤ、パスワードを発行する。
【００４０】
クライアントはクライアント端末１０からこのユーザＩＤ、パスワードを用いて検査処理業務管理サーバ２０にログインし（ステップａ）、接続要求を送信する（ステップｂ）。すると、検査処理業務管理サーバ２０は、検査サービス提供内容リストを提供し（ステップｃ）、クライアント端末１０の受信部１３を介して出力部１４に検査サービス提供内容リストを表示させる（ステップｄ）。そして、クライアントは、入力部１１から所望の検査対象・種別などの検査内容を入力するとともに、送信部１２から検査対象画像データ前処理プログラム要求を送信する（ステップｅ）。
【００４１】
検査処理業務管理サーバ２０は、受信した要求内容に基づいて適切な前処理プログラムを選択しクライアント端末１０に送信する（ステップｆ）。
【００４２】
クライアントは、クライアント端末１０の受信部１３により前処理プログラムを受信した後、前処理実行部１５にて検査対象データの前処理を実行する（ステップｇ）。そして、送信部１２により前処理済みデータを検査業務処理ホスト２０に送信する（ステップｈ）。
【００４３】
検査処理業務管理サーバ２０の制御部２２は、接続部２１により受信された検査依頼要求に基づいて検査処理ジョブを発行し、受信した前処理済みデータを検査業務処理ホスト３０に送信する（ステップｉ）。
【００４４】
この検査業務処理ホスト３０は、接続部３１により検査処理ジョブを受付け、前処理済みデータを受信し、画像処理アルゴリズム記憶データベース３３から画像処理アルゴリズム実行部３２にプログラムをロードして検査画像処理を実行する（ステップｊ）。この画像処理結果から検査結果生成部３４にて検査結果情報を生成し（ステップｋ）、検査処理業務管理サーバ２０に宛て検査結果情報を送信する（ステップｌ）。
【００４５】
次いで、検査処理業務管理サーバ２０は、検査結果情報を受信する（ステップｍ）と、課金処理部２５において検査結果内容および通信回数に応じた課金情報を生成する（ステップｎ）。この課金情報とともに検査結果をクライアント端末１０へ送信する（ステップｏ）。
【００４６】
クライアントは、クライアント端末１０の受信部１３により、検査業務処理ホスト２０から送信された検査結果および課金情報を受信する（ステップｐ）。クライアントは、必要に応じてこの検査結果に検査対象の原画像データを貼り込む（ステップｑ）。そして、クライアント端末１０によって、別の検査業務が依頼されると、ステップｂ以降の処理を繰り返す。別の検査依頼をしない場合は、終了する（ステップｒ）。
【００４７】
次いで、クライアントは、受信した課金情報に基づいて検査処理業務管理サーバ運用業者あるいは検査業務処理ホスト運用業者に対して検査依頼料金を支払う。ここでの決済方法は、銀行などの金融機関による振込みでも良いし、信販会社などを通しても良い。
【００４８】
すなわち、本実施形態の検査業務実行方法は、クライアント端末１０では、クライアントのユーザ情報を登録するステップと、検査対象・種別を指定するステップとを有し、検査処理管理サーバ２０側では、この指定された検査対象・種別から検査処理手法データベース２７に記憶された対応する検査対象前処理プログラムをネットワーク１を介してクライアント端末１０に提供する。クライアント端末１０は、この提供された前処理プログラムを検査対象となる画像データに適用する。
【００４９】
そして、検査処理管理サーバ２０側では、前処理プログラムを適用して変換された検査対象画像データを受信するステップと、この受信した検査対象データに対して依頼業務内容に応じて検査業務処理ホスト３０を選択するステップと、この選択した検査業務処理ホスト３０に検査ジョブを割当てるステップと、検査業務処理ホスト３０により提供される検査結果を受信するステップと、この検査結果をクライアント端末１０に送信するステップと、検査処理内容の対価に相当する接続度数の情報に基づいて所定の演算を実行して検査業務実行費用を算出しクライアントに対して課金処理を行うステップとを有している。
【００５０】
以上のように本実施形態によれば、高度な専門家のノウハウおよび分析装置を時間的・距離的に有効に活用することができる。
【００５１】
また、クライアントは検査対象画像前処理プログラムを用いることにより、検査対象となる機器部品の原画像データそのものをネットワーク上に流すことなく、検査に必要な必要最小限の前処理済みデータのみを提示することにより検査結果を得ることができる。
【００５２】
さらに、クライアント側で検査結果情報取得後に原画像データを貼り込むことにより、検査結果と原画像データを重ね合わせて表示することも可能である。
【００５３】
［変形例］
次に、検査業務処理ホストが複数存在する場合の検査業務実行方法の例を説明する。
【００５４】
図６は本発明に係る検査業務実行方法の一実施形態の変形例の全体構成を示すブロック図である。なお、前記実施形態と同一の部分には、同一の符号を付して説明する。
【００５５】
この変形例では、ネットワーク１を介してＡ社検査業務処理ホスト４０およびＢ社検査業務処理ホスト５０が接続された構成となっている。それぞれの検査業務処理ホストの構成は、図３で示した検査業務処理ホストの構成と同様のもので実現可能である。
【００５６】
また、この変形例では、検査処理業務管理サーバ２０において、ネットワーク１上の複数の検査業務処理ホスト４０，５０に関する情報を記憶している検査処理手法データベース２７と、この検査処理手法データベース２７から依頼業務内容に適した検査業務処理ホストを抽出する手段としての検査依頼内容処理部２４と、これら複数の検査業務処理ホスト４０，５０に対して同様の検査業務の依頼を仲介する手段と、それぞれの検査業務依頼仲介の対価に相当する接続度数の情報をもとに所定の演算を実行して仲介費用を算出する手段としての課金処理部２５とを有している。
【００５７】
なお、各検査業務処理ホスト４０，５０は、検査処理業務管理サーバ運用業者が運用するものでも、検査処理業務管理サーバ運用業者が提携した不特定の第三者が運用するものでも同様である。また、３つ以上の検査業務処理ホストを接続する場合も同様である。
【００５８】
以下、検査業務処理ホストが複数存在する場合のサービス提供方法を図７に基づいて説明する。なお、図７において、図５と同じ処理には同じ符号を付してある。
【００５９】
図７に示すように、クライアント端末１０から検査内容と前処理プログラム要求を送信する（ステップａ〜ｅ）までは、図５に示す前記実施形態と同じ処理である。
【００６０】
ステップｅの後、クライアントから検査依頼を受信すると、検査処理業務管理サーバ２０は依頼内容に応じて適切な検査業者を選択して検査業務を委託する（ステップｓ）。この場合、検査処理ジョブは選択された検査業者、例えばＡ社の検査業務処理ホスト４０に送信される。
【００６１】
このＡ社検査業務処理ホスト４０では、委託された検査内容に応じて適切な前処理プログラムを選択し、検査処理業務管理サーバ２０を介してクライアント端末１０に宛て送信する（ステップｔ）。
【００６２】
その後、クライアントが検査対象データに前処理プログラムを適用して、Ａ社検査業務処理ホスト４０が検査結果情報を生成し、検査処理業務管理サーバ２０を介して検査結果と課金情報をクライアント端末１０に送信し、クライアントが接続終了する（ステップｇ〜ｒ）までは、図５に示す前記実施形態と同じ処理である。
【００６３】
クライアントが検査依頼料金を支払う（ステップｕ）と、検査処理業務管理サーバ２０はそのうちＡ社検査業務処理ホスト４０への仲介料を差引いた額を委託料としてＡ社に支払う（ステップｖ）。
【００６４】
検査業務処理ホスト４０の運用業者Ａ社は、検査依頼料金から検査処理業務管理サーバ２０の運用業者の仲介料を差引いた額を検査委託料として受取る（ステップｗ）。
【００６５】
以上のようにこの変形例によれば、クライアントは検査業務処理ホスト運用業者を意識することなく、同一の窓口から様々な検査業務を依頼することができるようになる。
【００６６】
また、検査処理業務管理サーバ運用業者が特定の検査技術を有していない場合にもクライアントからの検査業務依頼を仲介することが可能となるため、柔軟な検査サービスを提供することができる。
【００６７】
【発明の効果】
以上説明したように本発明によれば、高度な専門家のノウハウおよび分析装置を時間的・距離的に有効に活用することができる。
【００６８】
また、クライアントは検査対象画像前処理プログラムを用いることにより、検査対象となる機器部品の原画像データそのものをネットワーク上に流すことなく、検査に必要な必要最小限の前処理済みデータのみを提示することにより検査結果を得ることができる。
【図面の簡単な説明】
【図１】本発明に係る検査業務実行方法の一実施形態の全体構成を示すブロック図。
【図２】図１のクライアント端末の構成を示すブロック図。
【図３】図１の検査処理業務管理サーバの構成を示すブロック図。
【図４】図１の検査業務処理ホストの構成を示すブロック図。
【図５】本発明の一実施形態におけるクライアント端末、検査処理業務管理サーバおよび検査業務処理ホストの処理手順の流れを示す図。
【図６】本発明に係る検査業務実行方法の一実施形態の変形例の全体構成を示すブロック図。
【図７】本発明の一実施形態の変形例におけるクライアント端末、検査処理業務管理サーバおよび検査業務処理ホストの処理手順の流れを示す図。
【符号の説明】
１  コンピュータネットワーク
１０  クライアント端末
１１  入力部
１２  送信部
１３  受信部
１４  出力部
１５  前処理実行部
２０  検査処理業務管理サーバ
２１  接続部（通信手段）
２２  制御部
２３  認証処理部
２４  検査依頼内容処理部
２５  課金処理部
２６  認証データベース
２７  検査処理手法データベース
２８  課金情報データベース
３０  検査業務処理ホスト
３１  接続部
３２  画像処理アルゴリズム実行部
３３  画像処理アルゴリズム記憶データベース
３４  検査結果生成部
【図１】
0004162372.tif 000002
【図２】
0004162372.tif 000003
【図３】
0004162372.tif 000004
【図４】
0004162372.tif 000005
【図５】
0004162372.tif 000006
【図６】
0004162372.tif 000007
【図７】
0004162372.tif 000008